(57)【要約】  反復を利用するダウンリンクチャネルの復号、具体的には、ダウンリンクチャネルの送信のために利用される反復回数が未知である場合のダウンリンクチャネルの復号に関するシステム及び方法である。いくつかの実施形態において、セルラー通信ネットワークにおけるユーザ機器（ＵＥ）の動作の方法は、上記セルラー通信ネットワークの無線アクセスノードから上記ＵＥにより受信される信号について信号対干渉及び雑音（ＳＩＮＲ）値を識別することと、上記ＳＩＮＲ値に基づいて、上記無線アクセスノードからのダウンリンクチャネルの送信のために使用されるものと推定される反復回数を識別することと、上記無線アクセスノードからの上記ダウンリンクチャネルの送信のために使用されるものと推定される上記反復回数に基づいて、上記ダウンリンクチャネルの復号を試行することと、を含む。【選択図】図３
2018526850.tif 000002
【特許請求の範囲】
【請求項１】
セルラー通信ネットワーク（１０）におけるユーザ機器（ＵＥ）（１２）の動作の方法であって、
前記セルラー通信ネットワーク（１０）の無線アクセスノード（１４）から前記ＵＥ（１２）により受信される信号について信号対干渉及び雑音（ＳＩＮＲ）値を識別すること（１００）と、
前記ＳＩＮＲ値に基づいて、前記無線アクセスノード（１４）からのダウンリンクチャネルの送信のために使用されるものと推定される反復回数を識別すること（１０２）と、
前記無線アクセスノード（１４）からの前記ダウンリンクチャネルの送信のために使用されるものと推定される前記反復回数に基づいて、前記ダウンリンクチャネルの復号を試行すること（１１０）と、
を含む方法。
【請求項２】
前記ダウンリンクチャネルは、物理ダウンリンク制御チャネルである、請求項１の方法。
【請求項３】
前記ＵＥ（１２）は、前記無線アクセスノード（１４）のより大きいシステム帯域幅内で限られたシステム帯域幅を受信する低複雑度ＵＥ（１２）であり、前記ダウンリンクチャネルは、低複雑度ＵＥ（１２）のための物理ダウンリンク制御チャネルである、請求項１の方法。
【請求項４】
前記限られたシステム帯域幅は、１．４メガヘルツ（ＭＨｚ）である、請求項３の方法。
【請求項５】
前記物理ダウンリンク制御チャネルは、前記ＵＥ（１２）をページングするために利用される物理ダウンリンク制御チャネルである、請求項３又は請求項４の方法。
【請求項６】
前記無線アクセスノード（１４）からの前記ダウンリンクチャネルの送信のために使用されるものと推定される前記反復回数を識別すること（１０２）は、予め定義されるルックアップテーブル（ＬＵＴ）に基づいて、前記無線アクセスノード（１４）からの前記ダウンリンクチャネルの送信のために使用されるものと推定される前記反復回数を識別すること（１０２）、を含む、請求項１〜５のいずれかの方法。
【請求項７】
予め定義される前記ＬＵＴは、加法性白色ガウス雑音（ＡＷＧＮ）のＳＩＮＲ値を反復回数値へマッピングする、請求項６の方法。
【請求項８】
前記無線アクセスノード（１４）からの前記ダウンリンクチャネルの送信のために使用されるものと推定される前記反復回数を識別すること（１０２）は、予め定義される等式に基づいて、前記無線アクセスノード（１４）からの前記ダウンリンクチャネルの送信のために使用されるものと推定される前記反復回数を識別すること（１０２）、を含む、請求項１〜５のいずれかの方法。
【請求項９】
前記無線アクセスノード（１４）からの前記ダウンリンクチャネルの送信のために使用されるものと推定される前記反復回数は、前記ダウンリンクチャネルを送信する際に前記無線アクセスノード（１４）により利用される反復回数とは相違する可能性がある、請求項１〜８のいずれかの方法。
【請求項１０】
前記無線アクセスノード（１４）からの前記ダウンリンクチャネルの送信のために使用されるものと推定される前記反復回数に基づいて前記ダウンリンクチャネルの復号を試行すること（１１０）は、
前記ダウンリンクチャネルの復号を試行する際に前記反復回数に対応する数のサブフレームを累積すること（２０４）、
を含む、請求項１〜９のいずれかの方法。
【請求項１１】
前記無線アクセスノード（１４）からの前記ダウンリンクチャネルの送信のために使用されるものと推定される前記反復回数に基づいて前記ダウンリンクチャネルの復号を試行すること（１１０）は、
前記無線アクセスノード（１４）からの前記ダウンリンクチャネルの送信のために使用されるものと推定される前記反復回数を含む、反復回数仮説の集合内の、第１の反復回数仮説に対応する第１の数のサブフレームを累積すること（４０６）と、
前記第１の数のサブフレームの前記累積に基づいて、前記ダウンリンクチャネルの復号を試行すること（４０８）と、
前記第１の数のサブフレームの前記累積に基づく前記ダウンリンクチャネルの復号の前記試行が不成功である場合に、
前記第１の数のサブフレームと共に追加的な数のサブフレームを累積（４０６）して、前記反復回数仮説の集合内の、第２の反復回数仮説に対応する第２の数のサブフレームの累積を提供すること（４０６）と、
前記第２の数のサブフレームの前記累積に基づいて、前記ダウンリンクチャネルの復号を試行すること（４０８）と、
を含む、請求項１〜９のいずれかの方法。
【請求項１２】
前記ダウンリンクチャネルの復号の成功後に、又は、前記反復回数仮説の集合内の最後の反復回数仮説に対応する数のサブフレームの累積に基づく前記ダウンリンクチャネルの復号の試行（４０６）後に、サブフレームの累積を停止すること（４１２）、及び、前記ＵＥ（１２）のそれぞれの受信機（２８）を非アクティブ化すること、
をさらに含む、請求項１１の方法。
【請求項１３】
セルラー通信ネットワーク（１０）のためのユーザ機器（ＵＥ）（１２）であって、
少なくとも１つの送受信機（２４）と、
少なくとも１つのプロセッサ（２０）と、
前記少なくとも１つのプロセッサ（２０）により実行可能な命令を記憶するメモリ（２２）と、
を備え、それにより、前記ＵＥ（１２）は、
前記セルラー通信ネットワーク（１０）の無線アクセスノード（１４）から前記ＵＥ（１２）により受信される信号について信号対干渉及び雑音（ＳＩＮＲ）値を識別し、
前記ＳＩＮＲ値に基づいて、前記無線アクセスノード（１４）からのダウンリンクチャネルの送信のために使用されるものと推定される反復回数を識別し、
前記無線アクセスノード（１４）からの前記ダウンリンクチャネルの送信のために使用されるものと推定される前記反復回数に基づいて、前記ダウンリンクチャネルの復号を試行する、
ように動作可能である、ＵＥ（１２）。
【請求項１４】
前記ダウンリンクチャネルは、物理ダウンリンク制御チャネルである、請求項１３のＵＥ（１２）。
【請求項１５】
前記ＵＥ（１２）は、前記無線アクセスノード（１４）のより大きいシステム帯域幅内で限られたシステム帯域幅を受信する低複雑度ＵＥ（１２）であり、前記ダウンリンクチャネルは、低複雑度ＵＥ（１２）のための物理ダウンリンク制御チャネルである、請求項１３のＵＥ（１２）。
【請求項１６】
前記限られたシステム帯域幅は、１．４メガヘルツ（ＭＨｚ）である、請求項１５のＵＥ（１２）。
【請求項１７】
前記物理ダウンリンク制御チャネルは、前記ＵＥ（１２）をページングするために利用される物理ダウンリンク制御チャネルである、請求項１５又は請求項１６のＵＥ（１２）。
【請求項１８】
前記無線アクセスノード（１４）からの前記ダウンリンクチャネルの送信のために使用されるものと推定される前記反復回数を識別するために、前記ＵＥ（１２）は、予め定義されるルックアップテーブル（ＬＵＴ）に基づいて、前記無線アクセスノード（１４）からの前記ダウンリンクチャネルの送信のために使用されるものと推定される前記反復回数を識別する、ようにさらに動作可能である、請求項１３〜１７のいずれかのＵＥ（１２）。
【請求項１９】
予め定義される前記ＬＵＴは、加法性白色ガウス雑音（ＡＷＧＮ）のＳＩＮＲ値を反復回数値へマッピングする、請求項１８のＵＥ（１２）。
【請求項２０】
前記無線アクセスノード（１４）からの前記ダウンリンクチャネルの送信のために使用されるものと推定される前記反復回数を識別するために、前記ＵＥ（１２）は、予め定義される等式に基づいて、前記無線アクセスノード（１４）からの前記ダウンリンクチャネルの送信のために使用されるものと推定される前記反復回数を識別する、ようにさらに動作可能である、請求項１３〜１７のいずれかのＵＥ（１２）。
【請求項２１】
前記無線アクセスノード（１４）からの前記ダウンリンクチャネルの送信のために使用されるものと推定される前記反復回数は、前記ダウンリンクチャネルを送信する際に前記無線アクセスノード（１４）により利用される反復回数とは相違する可能性がある、請求項１３〜２０のいずれかのＵＥ（１２）。
【請求項２２】
前記無線アクセスノード（１４）からの前記ダウンリンクチャネルの送信のために使用されるものと推定される前記反復回数に基づいて前記ダウンリンクチャネルの復号を試行するために、前記ＵＥ（１２）は、
前記ダウンリンクチャネルの復号を試行する際に前記反復回数に対応する数のサブフレームを累積する、
ようにさらに動作可能である、請求項１３〜２１のいずれかのＵＥ（１２）。
【請求項２３】
前記無線アクセスノード（１４）からの前記ダウンリンクチャネルの送信のために使用されるものと推定される前記反復回数に基づいて前記ダウンリンクチャネルの復号を試行するために、前記ＵＥ（１２）は、
前記無線アクセスノード（１４）からの前記ダウンリンクチャネルの送信のために使用されるものと推定される前記反復回数を含む、反復回数仮説の集合内の、第１の反復回数仮説に対応する第１の数のサブフレームを累積し、
前記第１の数のサブフレームの前記累積に基づいて、前記ダウンリンクチャネルの復号を試行し、
前記第１の数のサブフレームの前記累積に基づく前記ダウンリンクチャネルの復号の前記試行が不成功である場合に、
前記第１の数のサブフレームと共に追加的な数のサブフレームを累積して、前記反復回数仮説の集合内の、第２の反復回数仮説に対応する第２の数のサブフレームの累積を提供し、
前記第２の数のサブフレームの前記累積に基づいて、前記ダウンリンクチャネルの復号を試行する、
ようにさらに動作可能である、請求項１３〜２１のいずれかのＵＥ（１２）。
【請求項２４】
前記ＵＥ（１２）は、
前記ダウンリンクチャネルの復号の成功後に、又は、前記反復回数仮説の集合内の最後の反復回数仮説に対応する数のサブフレームの累積に基づく前記ダウンリンクチャネルの復号の試行後に、サブフレームの累積を停止し、及び、前記ＵＥ（１２）のそれぞれの受信機（２８）を非アクティブ化する、
ようにさらに動作可能である、請求項２３のＵＥ（１２）。
【請求項２５】
セルラー通信ネットワーク（１０）のためのユーザ機器（ＵＥ）（１２）であって、
前記セルラー通信ネットワーク（１０）の無線アクセスノード（１４）から前記ＵＥ（１２）により受信される信号について信号対干渉及び雑音（ＳＩＮＲ）値を識別し、
前記ＳＩＮＲ値に基づいて、前記無線アクセスノード（１４）からのダウンリンクチャネルの送信のために使用されるものと推定される反復回数を識別し、
前記無線アクセスノード（１４）からの前記ダウンリンクチャネルの送信のために使用されるものと推定される前記反復回数に基づいて、前記ダウンリンクチャネルの復号を試行する、
ように適合される、ＵＥ（１２）。
【請求項２６】
前記ＵＥ（１２）は、請求項２〜１２のいずれかの方法に従って動作する、ようにさらに適合される、請求項２５のＵＥ（１２）。
【請求項２７】
セルラー通信ネットワーク（１０）のためのユーザ機器（ＵＥ）（１２）であって、
前記セルラー通信ネットワーク（１０）の無線アクセスノード（１４）から前記ＵＥ（１２）により受信される信号について信号対干渉及び雑音（ＳＩＮＲ）値を識別する、ように動作可能なＳＩＮＲ識別モジュール（３２−１）と、
前記ＳＩＮＲ値に基づいて、前記無線アクセスノード（１４）からのダウンリンクチャネルの送信のために使用されるものと推定される反復回数を識別する、ように動作可能な反復回数識別モジュール（３２−２）と、
前記無線アクセスノード（１４）からの前記ダウンリンクチャネルの送信のために使用されるものと推定される前記反復回数に基づいて、前記ダウンリンクチャネルの復号を試行する、ように動作可能な復号モジュール（３２−３）と、
を備えるＵＥ（１２）。
【発明の詳細な説明】
【技術分野】
【０００１】
［関連出願］
本出願は、２０１５年６月２４日に提出された仮特許出願第６２／１８４，１４０号の利益を主張し、その開示はここで全体として参照によりここに取り入れられる。
【０００２】
［技術分野］
本開示は、物理リソースブロック（ＰＲＢ）割り当てに関し、より具体的には、マシンタイプ通信（ＭＴＣ）動作のための物理ダウンリンク制御及びデータチャネルのＰＲＢ割り当てに関する。
【背景技術】
【０００３】
３ＧＰＰ（Third  Generation  Partnership  Project）ＬＴＥ（Long  Term  Evolution）は、ダウンリンクにおいてＯＦＤＭ（Orthogonal  Frequency  Division  Multiplexing）を、アップリンクにおいてＤＦＴ（Discrete  Fourier  Transform）拡散ＯＦＤＭを使用する。基本的なＬＴＥのダウンリンク物理リソースを、よって、図１に示したような時間−周波数グリッドとして見ることができ、各リソースエレメントは、１つのＯＦＤＭシンボルインターバルの期間中の１本のＯＦＤＭサブキャリアに相当する。
【０００４】
［マシンタイプ通信（ＭＴＣ）］
ＭＴＣについて、事業者にとっては、既に配備済みの無線アクセス技術（ＲＡＴ）を用いてＭＴＣユーザ機器デバイス（ＵＥ）へサービスできることが効率的であろう。従って、３ＧＰＰ  ＬＴＥは、ＭＴＣの効率的なサポートのための競争力のあるＲＡＴとして検討されてきた。ＭＴＣ  ＵＥのコストを引き下げることで、“ＩｏＴ（internet  of  things）”の概念の実装を容易化することができる。多くのＭＴＣアプリケーションは、運用上で低い電力消費を実証するＵＥを使用するであろう。それらは、低頻度で小規模なバースト送信で通信を行うことが予期される。加えて、建物内の奥深くに配備されるデバイスのマシンツーマシン（Ｍ２Ｍ）ユースケースについて実質的なマーケットが存在し、それは定義済みのＬＴＥセルカバレッジの面積（footprint）と比較してカバレッジの向上の恩恵を受けるはずである。
【０００５】
３ＧＰＰ  ＬＴＥリリース（Ｒｅｌ）１２は、長いバッテリー寿命を可能にするＵＥ電力節約モードと、削減されたモデムの複雑度を可能とする新たなＵＥカテゴリとを定義した。Ｒｅｌ１３では、将来のＭＴＣ作業が、さらにＵＥコストを削減し、及びカバレッジの拡張を提供することが期待される。コスト削減を可能にする鍵となる要素は、任意のシステム帯域幅の範囲内でダウンリンク及びアップリンクにおいて１．４メガヘルツ（ＭＨｚ）という削減されたＵＥ帯域幅を導入することである。
【０００６】
ＬＴＥでは、システム帯域幅は最大で２０ＭＨｚまで可能であり、この合計帯域幅は複数の物理リソースブロック（ＰＲＢ）へ分割される。ＬＴＥ  Ｒｅｌ１３において導入されることになる１．４ＭＨｚという低減されたＵＥ帯域幅を伴う低複雑度ＵＥは、一度に合計システム帯域幅の一部−最大６つのＰＲＢに相当する部分−を受信可能となる。ここで、６つのＰＲＢの集合を“ＰＲＢグループ”という。
【０００７】
［Ｍ−ＰＤＣＣＨ］
ＬＴＥ物理データチャネル（即ち、物理ダウンリンク共有チャネル（ＰＤＳＣＨ）及び物理アップリンク共有チャネル（ＰＵＳＣＨ））上での送信は、典型的には、ＰＤＣＣＨにおけるダウンリンク制御情報（ＤＣＩ）を用いてスケジューリングされる。言及した低減された帯域幅を伴う低複雑度ＵＥについて、物理ダウンリンク制御チャネル（ＰＤＣＣＨ）の帯域幅を６ＰＲＢよりも大きくすることはできない。ここでは、低複雑度ＵＥ及び拡張されたカバレッジをサポートするＰＤＣＣＨを“Ｍ−ＰＤＣＣＨ”という。Ｍ−ＰＤＣＣＨは、既存の拡張ＰＤＣＣＨ（Ｅ−ＰＤＣＣＨ）に基づくであろう。
【０００８】
Ｍ−ＰＤＣＣＨは、ＰＤＳＣＨにより搬送されるページングメッセージをスケジューリングするためにも使用されることになる。低複雑度ＵＥのために及び遅延寛容なＭＴＣアプリケーションを動作させる他のＵＥのためにＬＴＥ  Ｒｅｌ１３において目標とされるカバレッジを達成する目的で、Ｍ−ＰＤＣＣＨは十分なカバレッジを有する必要がある。これは、ＵＥ側でのエネルギーの蓄積を可能にする目的で複数のサブフレームにわたってＭ−ＰＤＣＣＨを反復することで達成される。
【０００９】
［ページング］
アイドルモード中に、ＵＥは、周期的なページング機会にネットワークからのページングメッセージをリッスンする。ＭＴＣについては、電力消費がクリティカルであり、ページング機会にどのＵＥについてもページングの無いことが典型的なケースであることから、可能な限り短い期間についてＵＥの受信機をオンに保つことが重要である。
【発明の概要】
【００１０】
反復を利用するダウンリンクチャネルの復号、具体的には、ダウンリンクチャネルの送信のために利用される反復回数が未知である場合のダウンリンクチャネルの復号に関するシステム及び方法である。この点において、セルラー通信ネットワークにおけるユーザ機器デバイス（ＵＥ）の動作の方法の実施形態が開示される。いくつかの実施形態において、ＵＥの動作の方法は、上記セルラー通信ネットワークの無線アクセスノードから上記ＵＥにより受信される信号について信号対干渉及び雑音（ＳＩＮＲ）値を識別することと、上記ＳＩＮＲ値に基づいて、上記無線アクセスノードからのダウンリンクチャネルの送信のために使用されるものと推定される反復回数を識別することと、上記無線アクセスノードからの上記ダウンリンクチャネルの送信のために使用されるものと推定される上記反復回数に基づいて、上記ダウンリンクチャネルの復号を試行することと、を含む。ダウンリンクチャネルの送信のために使用される反復回数を推定することにより、ＵＥは、最大の反復回数を想定することと比較して、より短い時間量にわたって自身の受信機をオンに保つことができ、それによりエネルギーが節約される。
【００１１】
いくつかの実施形態において、上記ダウンリンクチャネルは、物理ダウンリンク制御チャネルである。
【００１２】
いくつかの実施形態において、上記ＵＥは、上記無線アクセスノードのより大きいシステム帯域幅内で限られたシステム帯域幅を受信する低複雑度ＵＥであり、上記ダウンリンクチャネルは、低複雑度ＵＥのための物理ダウンリンク制御チャネル（ＰＤＣＣＨ）である。さらに、いくつかの実施形態において、上記限られたシステム帯域幅は、１．４メガヘルツ（ＭＨｚ）である。さらに、いくつかの実施形態において、上記ＰＤＣＣＨは、上記ＵＥをページングするために利用されＰＤＣＣＨである。
【００１３】
いくつかの実施形態において、上記無線アクセスノードからの上記ダウンリンクチャネルの送信のために使用されるものと推定される上記反復回数を識別することは、予め定義されるルックアップテーブル（ＬＵＴ）に基づいて、上記無線アクセスノードからの上記ダウンリンクチャネルの送信のために使用されるものと推定される上記反復回数を識別すること、を含む。いくつかの実施形態において、予め定義される上記ＬＵＴは、加法性白色ガウス雑音（ＡＷＧＮ）のＳＩＮＲ値を反復回数値へマッピングする。
【００１４】
いくつかの実施形態において、上記無線アクセスノードからの上記ダウンリンクチャネルの送信のために使用されるものと推定される上記反復回数を識別することは、予め定義される等式に基づいて、上記無線アクセスノードからの上記ダウンリンクチャネルの送信のために使用されるものと推定される上記反復回数を識別すること、を含む。
【００１５】
いくつかの実施形態において、上記無線アクセスノードからの上記ダウンリンクチャネルの送信のために使用されるものと推定される上記反復回数は、上記ダウンリンクチャネルを送信する際に上記無線アクセスノードにより利用される反復回数とは相違する可能性がある。
【００１６】
いくつかの実施形態において、上記無線アクセスノードからの上記ダウンリンクチャネルの送信のために使用されるものと推定される上記反復回数に基づいて上記ダウンリンクチャネルの復号を試行することは、上記ダウンリンクチャネルの復号を試行する際に上記反復回数に対応する数のサブフレームを累積すること、を含む。
【００１７】
いくつかの実施形態において、上記無線アクセスノードからの上記ダウンリンクチャネルの送信のために使用されるものと推定される上記反復回数に基づいて上記ダウンリンクチャネルの復号を試行することは、上記無線アクセスノードからの上記ダウンリンクチャネルの送信のために使用されるものと推定される上記反復回数を含む、反復回数仮説の集合内の、第１の反復回数仮説に対応する第１の数のサブフレームを累積することと、上記第１の数のサブフレームの上記累積に基づいて、上記ダウンリンクチャネルの復号を試行することと、を含む。上記ダウンリンクチャネルの復号を試行することは、上記第１の数のサブフレームの上記累積に基づく上記ダウンリンクチャネルの復号の上記試行が不成功である場合に、上記第１の数のサブフレームと共に追加的な数のサブフレームを累積して、上記反復回数仮説の集合内の、第２の反復回数仮説に対応する第２の数のサブフレームの累積を提供することと、上記第２の数のサブフレームの上記累積に基づいて、上記ダウンリンクチャネルの復号を試行することと、をさらに含む。いくつかの実施形態において、上記方法は、上記ダウンリンクチャネルの復号の成功後に、又は、上記反復回数仮説の集合内の最後の反復回数仮説に対応する数のサブフレームの累積に基づく上記ダウンリンクチャネルの復号の試行後に、サブフレームの累積を停止すること、及び、上記ＵＥのそれぞれの受信機を非アクティブ化すること、をさらに含む。
【００１８】
セルラー通信ネットワークのためのＵＥの実施形態もまた開示される。いくつかの実施形態において、上記ＵＥは、少なくとも１つの送受信機と、少なくとも１つのプロセッサと、上記少なくとも１つのプロセッサにより実行可能な命令を記憶するメモリと、を備え、それにより、上記ＵＥは、上記セルラー通信ネットワークの無線アクセスノードから上記ＵＥにより受信される信号についてＳＩＮＲ値を識別し、上記ＳＩＮＲ値に基づいて、上記無線アクセスノードからのダウンリンクチャネルの送信のために使用されるものと推定される反復回数を識別し、上記無線アクセスノードからの上記ダウンリンクチャネルの送信のために使用されるものと推定される上記反復回数に基づいて、上記ダウンリンクチャネルの復号を試行する、ように動作可能である。
【００１９】
いくつかの実施形態において、上記ダウンリンクチャネルは、ＰＤＣＣＨである。
【００２０】
いくつかの実施形態において、上記ＵＥは、上記無線アクセスノードのより大きいシステム帯域幅内で限られたシステム帯域幅を受信する低複雑度ＵＥであり、上記ダウンリンクチャネルは、低複雑度ＵＥのためのＰＤＣＣＨである。いくつかの実施形態において、上記限られたシステム帯域幅は、１．４ＭＨｚである。いくつかの実施形態において、上記ＰＤＣＣＨは、上記ＵＥをページングするために利用されるＰＤＣＣＨである。
【００２１】
いくつかの実施形態において、上記無線アクセスノードからの上記ダウンリンクチャネルの送信のために使用されるものと推定される上記反復回数を識別するために、上記ＵＥは、予め定義されるＬＵＴに基づいて、上記無線アクセスノードからの上記ダウンリンクチャネルの送信のために使用されるものと推定される上記反復回数を識別する、ようにさらに動作可能である。いくつかの実施形態において、予め定義される上記ＬＵＴは、ＡＷＧＮのＳＩＮＲ値を反復回数値へマッピングする。
【００２２】
いくつかの実施形態において、上記無線アクセスノードからの上記ダウンリンクチャネルの送信のために使用されるものと推定される上記反復回数を識別するために、上記ＵＥは、予め定義される等式に基づいて、上記無線アクセスノードからの上記ダウンリンクチャネルの送信のために使用されるものと推定される上記反復回数を識別する、ようにさらに動作可能である。
【００２３】
いくつかの実施形態において、上記無線アクセスノードからの上記ダウンリンクチャネルの送信のために使用されるものと推定される上記反復回数は、上記ダウンリンクチャネルを送信する際に上記無線アクセスノードにより利用される反復回数とは相違する可能性がある。
【００２４】
いくつかの実施形態において、上記無線アクセスノードからの上記ダウンリンクチャネルの送信のために使用されるものと推定される上記反復回数に基づいて上記ダウンリンクチャネルの復号を試行するために、上記ＵＥは、上記ダウンリンクチャネルの復号を試行する際に上記反復回数に対応する数のサブフレームを累積する、ようにさらに動作可能である。
【００２５】
いくつかの実施形態において、上記無線アクセスノードからの上記ダウンリンクチャネルの送信のために使用されるものと推定される上記反復回数に基づいて上記ダウンリンクチャネルの復号を試行するために、上記ＵＥは、上記無線アクセスノードからの上記ダウンリンクチャネルの送信のために使用されるものと推定される上記反復回数を含む、反復回数仮説の集合内の、第１の反復回数仮説に対応する第１の数のサブフレームを累積し、上記第１の数のサブフレームの上記累積に基づいて、上記ダウンリンクチャネルの復号を試行する、ようにさらに動作可能である。さらに、上記第１の数のサブフレームの上記累積に基づく上記ダウンリンクチャネルの復号の上記試行が不成功である場合、上記ＵＥは、上記第１の数のサブフレームと共に追加的な数のサブフレームを累積して、上記反復回数仮説の集合内の、第２の反復回数仮説に対応する第２の数のサブフレームの累積を提供し、上記第２の数のサブフレームの上記累積に基づいて、上記ダウンリンクチャネルの復号を試行する、ようにさらに動作可能である。いくつかの実施形態において、上記ＵＥは、上記ダウンリンクチャネルの復号の成功後に、又は、上記反復回数仮説の集合内の最後の反復回数仮説に対応する数のサブフレームの累積に基づく上記ダウンリンクチャネルの復号の試行後に、サブフレームの累積を停止し、及び、上記ＵＥのそれぞれの受信機を非アクティブ化する、ようにさらに動作可能である。
【００２６】
いくつかの実施形態において、セルラー通信ネットワークのためのＵＥは、上記セルラー通信ネットワークの無線アクセスノードから上記ＵＥにより受信される信号についてＳＩＮＲ値を識別し、上記ＳＩＮＲ値に基づいて、上記無線アクセスノードからのダウンリンクチャネルの送信のために使用されるものと推定される反復回数を識別し、上記無線アクセスノードからの上記ダウンリンクチャネルの送信のために使用されるものと推定される上記反復回数に基づいて、上記ダウンリンクチャネルの復号を試行する、ように適合される。さらに、いくつかの実施形態において、上記ＵＥは、ここで説明した実施形態のいずれかに係るＵＥの動作の方法に従って動作する、ようにさらに適合される。
【００２７】
いくつかの実施形態において、セルラー通信ネットワークのためのＵＥは、上記セルラー通信ネットワークの無線アクセスノードから上記ＵＥにより受信される信号についてＳＩＮＲ値を識別する、ように動作可能なＳＩＮＲ識別モジュールと、上記ＳＩＮＲ値に基づいて、上記無線アクセスノードからのダウンリンクチャネルの送信のために使用されるものと推定される反復回数を識別する、ように動作可能な反復回数識別モジュールと、上記無線アクセスノードからの上記ダウンリンクチャネルの送信のために使用されるものと推定される上記反復回数に基づいて、上記ダウンリンクチャネルの復号を試行する、ように動作可能な復号モジュールと、を備える。
【００２８】
当業者は、添付図面の図との関連において実施形態の以下の詳細な説明を読んだ後に、本開示のスコープを認識し、及びそれらの追加的な観点を理解するであろう。
【図面の簡単な説明】
【００２９】
本明細書に取り入れられ及びその一部をなす添付図面の図は、本開示の複数の観点を描いており、本説明と共に本開示の原理の説明に供される。
【００３０】
【図１】一例としての３ＧＰＰ（Third  Generation  Partnership  Project）ＬＴＥ（Long  Term  Evolution）ダウンリンク物理リソースの概略図である。
【図２】本開示の実施形態が実装され得るワイヤレスネットワークの１つの例を示している。
【図３】本開示のいくつかの実施形態に係るユーザ機器デバイス（ＵＥ）及び基地局の動作を示している。
【図４】本開示のいくつかの実施形態に従って、信号対干渉及び雑音比（ＳＩＮＲ）に基づいて反復回数を判定するＵＥの動作を示すフローチャートである。
【図５】本開示のいくつかの実施形態に従って、ＳＩＮＲに基づいて反復回数を判定する基地局の動作を示すフローチャートである。
【図６】本開示のいくつかの実施形態に係るＵＥの動作を示すフローチャートである。
【図７】Ｍ−ＰＤＣＣＨを示すフレーム構造の概略図である。
【図８】本開示のいくつかの実施形態に係るＵＥの例示的な実施形態のブロック図である。
【図９】本開示のいくつかの実施形態に係るＵＥの例示的な実施形態のブロック図である。
【図１０】本開示のいくつかの実施形態に係る無線アクセスノードの例示的な実施形態のブロック図である。
【図１１】本開示のいくつかの実施形態に係る無線アクセスノードの例示的な実施形態のブロック図である。
【図１２】本開示のいくつかの実施形態に係る無線アクセスノードの例示的な実施形態のブロック図である。
【発明を実施するための形態】
【００３１】
以下に呈示される実施形態は、当業者がそれら実施形態を実践することを可能にするための情報を表現し、及びそれら実施形態の実践の最良の形態を例示している。添付図面の図を踏まえて以下の説明を読めば、当業者は、本開示の概念を理解し、それら概念のここで具体的に扱われていない応用を認識するであろう。理解されるべきこととして、それら概念及び応用は、本開示及び添付の特許請求の範囲のスコープの範囲内に入る。
【００３２】
無線ノード：ここで使用されるところによれば、“無線ノード”は、無線アクセスノードであるか又はワイヤレスデバイスであるかのいずれかである。
【００３３】
無線アクセスノード：ここで使用されるところによれば、“無線アクセスノード”は、ワイヤレスに信号を送信し及び／又は受信するように動作する、セルラー通信ネットワークの無線アクセスネットワーク内の任意のノードである。無線アクセスノードのいくつかの例は、限定ではないものの、基地局（例えば、３ＧＰＰ（Third  Generation  Partnership  Project）ＬＴＥ（Long  Term  Evolution）ネットワーク内の拡張又は進化型ノードＢ（ｅＮＢ））、高電力又はマクロ基地局、低電力基地局（例えば、マイクロ基地局、ピコ基地局若しくはホームｅＮＢなど）、及び中継ノードを含む。
【００３４】
コアネットワークノード：ここで使用されるところによれば、“コアネットワークノード”は、コアネットワーク内の任意のタイプのノードである。コアネットワークノードのいくつかの例は、例えば、ＭＭＥ（Mobility  Management  Entity）、Ｐ−ＧＷ（Packet  Data  Network（PDN）  Gateway）又はＳＣＥＦ（Service  Capability  Exposure  Function）などを含む。
【００３５】
ワイヤレスデバイス：ここで使用されるところによれば、“ワイヤレスデバイス”又は“ワイヤレス通信デバイス”は、無線アクセスノードへワイヤレスに信号を送信し及び／又は受信することによりセルラー通信ネットワークへのアクセスを有する（即ち、セルラー通信ネットワークによりサービスされる）任意のタイプのデバイスである。ワイヤレスデバイスのいくつかの例は、限定ではないものの、３ＧＰＰネットワーク内のユーザ機器デバイス（ＵＥ）及びマシンタイプ通信（ＭＴＣ）デバイス（即ち、ＭＴＣ  ＵＥ）を含む。
【００３６】
ネットワークノード：ここで使用されるところによれば、“ネットワークノード”は、セルラー通信ネットワーク／システムの無線アクセスネットワークの一部か又はコアネットワークの一部かのいずれかである任意のノードである。
【００３７】
ここで与えられる説明は、３ＧＰＰセルラー通信システムに焦点を当てており、そのために、３ＧＰＰ  ＬＴＥの専門用語又は３ＧＰＰ  ＬＴＥの専門用語に類似する専門用語が多くの場合に使用されることに留意されたい。但し、ここで開示される概念は、ＬＴＥ又は３ＧＰＰシステムには限定されない。
【００３８】
なお、ここでの説明において、“セル”との用語への言及がなされているかもしれないが、しかしながら、特に第５世代（５Ｇ）の概念に関して、セルの代わりにビームが使用されてもよく、そのため、ここで説明される概念はセル及びビームの双方に等しく適用可能であることに留意することが重要である。
【００３９】
背景欄で議論したように、Ｍ−ＰＤＣＣＨ（即ち、低複雑度ＵＥ及び拡張されるカバレッジをサポートする物理ダウンリンク制御チャネル（ＰＤＣＣＨ））が、物理ダウンリンク共有チャネル（ＰＤＳＣＨ）により搬送されるページングメッセージをスケジューリングするために使用されることになる。低複雑度ＵＥのために及び遅延寛容なＭＴＣアプリケーションを動作させる他のＵＥのためにＬＴＥリリース（Ｒｅｌ）１３において目標とされるカバレッジを達成する目的で、Ｍ−ＰＤＣＣＨは十分なカバレッジを有する必要がある。これは、ＵＥ側でのエネルギーの蓄積を可能にする目的で複数のサブフレームにわたってＭ−ＰＤＣＣＨを反復することで達成される。
【００４０】
ページング送信は、最悪のカバレッジの状況においてＵＥへ到達する必要があり、これは最大の反復回数がかなり大きくなり得ることを意味する。ｅＮＢが常にＰＤＳＣＨ上でページングをスケジューリングするＭ−ＰＤＣＣＨについて最大の反復回数を使用する場合、ＵＥは長い時間にわたって自身の受信機をオンに保つ必要があり、ページングによるリソース消費が大きくなる。従って、反復回数を選定するための方式が必要とされる。ネットワークについては、ＵＥの最後の既知のカバレッジ拡張レベル（例えば、所要の反復回数）に関する情報をＭＭＥがｅＮＢへ提供するであろうことが３ＧＰＰにおいて既に合意済みである。すると、ｅＮＢは、そのレベルで開始し及び反復回数を増加させることができ、ページングが失敗した場合に次のページング機会において反復回数を増加させることができる。この方式では、ＵＥは反復回数を認識しないことになる。雑音の累積を回避するために、ＵＥは、ネットワークにより使用中のものよりも少ない反復を想定しなければならない。ＵＥが反復回数を推定するための手法が必要である。
【００４１】
ここで開示される実施形態のある観点によれば、ＵＥは、Ｍ−ＰＤＣＣＨを当該ＵＥにより成功裏に受信するために、その測定される信号対干渉及び雑音比（ＳＩＮＲ）から、ｅＮＢがＭ−ＰＤＣＣＨについて使用し得る反復回数を推定する。ここで開示される実施形態の利点は、当業者にとって容易に識別可能である。例えば、Ｍ−ＰＤＣＣＨをＵＥにより成功裏に受信するために、ＳＩＮＲを推定し、及びそれをＭ−ＰＤＣＣＨについてｅＮＢにより用いることを要するはずの反復回数へマッピングすることで、ＵＥは、各ページング機会においてより短い時間にわたって自身の受信機をオンに保つことができ、それによりエネルギーが節約される。
【００４２】
説明される解決策は、いかなる適した通信標準をサポートし及びいかなる適したコンポーネントを用いるいかなる適切なタイプのワイヤレスネットワーク又は通信システムにおいて実装されてもよいが、説明される解決策の具体的な実施形態は、図２に例示したもののようなＬＴＥネットワーク１０において実装され得る。図２に示したように、例としてのネットワーク１０は、ワイヤレス通信デバイス１２の１つ以上のインスタンス（例えば、旧来のＵＥ、ＭＴＣ／Ｍ２Ｍ（Machine-to-Machine）ＵＥ）、及び、それらワイヤレス通信デバイス１２と通信可能な１つ以上の無線アクセスノード１４（例えば、ｅＮＢ又は他の基地局）を含んでよく、それらは、ワイヤレス通信デバイス１２間の通信又はワイヤレス通信デバイス１２と他の通信デバイス（地上線電話など）との間の通信をサポートするために適した任意の追加的なエレメントを伴う。無線アクセスノード１４は、対応するセル１６へサービスし、及びコアネットワーク１８へ接続される。
【００４３】
とりわけ、ここで説明される例示的な実施形態の多くはＬＴＥに焦点を当てていることから、ここでワイヤレス通信デバイス１２をＵＥ１２又はＭＴＣ  ＵＥ１２ということがある。同様に、ここで無線アクセスノード１４を基地局１４又はｅＮＢ１４ということがある。
【００４４】
ＵＥ１２は、初期のセルアタッチメント、ハンドオーバ、及び無線リンク障害の監視といった多様な目的のために、チャネル推定を実行し及びＳＩＮＲを測定する。以下では、“ＳＩＮＲ”は、リファレンス信号受信品質（ＲＳＲＱ）測定結果などの既存のＬＴＥ  ＵＥによる測定結果、又はＬＴＥ  ＵＥによる潜在的な新たな測定結果への言及であってよい。ＭＴＣについて、ＳＩＮＲは、物理ランダムアクセスチャネル（ＰＲＡＣＨ）についてのカバレッジ拡張レベルを決定するために使用されることができる。
【００４５】
ページング送信について、Ｍ−ＰＤＣＣＨが無線リソース制御（ＲＲＣ）ページングメッセージを搬送するＰＤＳＣＨ送信をスケジューリングすることが見込まれる。
【００４６】
低複雑度ＵＥのために及び遅延寛容なＭＴＣアプリケーションを動作させる他のＵＥのためにＬＴＥ  Ｒｅｌ１３において目標とされるカバレッジを達成するために、時間的反復技法が使用され得る。時間的反復技法は、ＵＥ側での受信信号のエネルギーの累積（accumulation）を容易化する。物理データチャネル（ＰＤＳＣＨ、物理アップリンク共有チャネル（ＰＵＳＣＨ））についてサブフレームバンドリング（すなわち、送信時間インターバル（ＴＴＩ）バンドリング）を使用することができる。サブフレームバンドリングが適用される場合、各ハイブリッド自動再送要求（ＨＡＲＱ）の（再）送信は、単一のサブフレームのみの代わりに、複数のサブフレームのバンドルからなる。複数のサブフレームにわたる反復を物理制御チャネルへ適用することもできる。ＵＥのカバレッジ状況に依存して、様々な反復回数を使用することができる。
【００４７】
手始めに、ここで使用されるところによれば、“反復”との用語は、情報ビットのブロックがサブフレームをまたいで基地局１４によりある回数だけ反復されること、すなわち、送信機の視点からのそれを意味する。本出願は、情報ビットのブロックを検出するためのＵＥ１２におけるサブフレームの累積を意味するものとして、即ち、受信機の視点から、累積との用語をも使用している。しかし、反復及び累積という２つの用語は、情報ビットのブロックに関連付けられる反復の全て又はサブセットを当該ブロックを検出する目的でＵＥ１２が累積することができるという点において、概念的には関連している。
【００４８】
なお、ここで使用されるところによれば、“反復”とは、所与の情報ビットのブロックの繰り返されるダウンリンク送信を指し、それは単なる繰り返しに限定することを意図されておらず、例えば同じ情報ビットのブロックに関連付けられる異なる符号化ビットのセットを送信することなど、情報ビットの同じブロックを送信する他のフォーマットを指してもよい。これは、ＬＴＥ  Ｒｅｌ８において定義された異なる複数のページング機会における潜在的に繰り返されるページングの試行を指してはいない。さらに、上記反復は、Ｍ−ＰＤＣＣＨ送信のために利用可能でないダウンリンクサブフレームを考慮してもしなくてもよい。例えば、マルチメディアブロードキャスト／マルチキャストサービス（ＭＢＭＳ）サブフレーム又は時間分割複信（ＴＤＤ）構成に起因して、あるサブフレームはＭ−ＰＤＣＣＨ送信のために利用不能であることが知られている。１つの代替手段において、反復回数は、既知の利用不能なサブフレームを考慮するように定義され、それにより反復回数は実際のダウンリンク制御送信又はダウンリンクデータ送信を伴うサブフレームを指す。他の代替手段において、反復回数は名目上であって、サブフレーム番号を参照するように定義され、利用不能なサブフレームを考慮しない。このケースでは、Ｍ−ＰＤＣＣＨの実際の反復回数は、名目上の反復回数よりも少ないかもしれない。
【００４９】
いくつかの実施形態において、Ｍ−ＰＤＣＣＨについて使用される反復回数を見出すために、ＵＥ１２は、所与のＳＩＮＲについてＭ−ＰＤＣＣＨを成功裏に復号するために必要とすることになる反復回数についてのルックアップテーブル（ＬＵＴ）を保持する。ＳＩＮＲを推定した後、ＵＥ１２は、そのＬＵＴを使用して、Ｍ−ＰＤＣＣＨの復号を試行する際に累積すべきサブフレーム数を判定する。ＵＥ１２が試行後にＭ−ＰＤＣＣＨを受信すると、ＵＥ１２は、検出のためにＭ−ＰＤＣＣＨの反復を累積することを停止してもよい。
【００５０】
ＵＥ１２は、例えばＳＩＮＲを測定することにより、又は直近のＳＩＮＲレポートを用いることにより、ＳＩＮＲについての値を識別することができる。ＬＵＴは、ＵＥ１２上にローカルに又はリモートに記憶されることができる。いくつかの実施形態では、ＬＵＴは、例えば仕様において、予め定義される。
【００５１】
以下のテーブル１において、説明の目的のために、Ｍ−ＰＤＣＣＨの反復の推定される回数をルックアップするためのテーブルが示されている。同テーブルにおいて、ＵＥ１２は、推定される等価的加法性白色ガウス雑音（ＡＷＧＮ）のＳＩＮＲ差を用いて、Ｍ−ＰＤＣＣＨの反復の推定回数をルックアップする。等価的ＡＧＷＮ  ＳＩＮＲ差は、ＵＥ１２が観測するチャネル条件が通常のセルエッジとの比較においてどれほど劣化しているかに関する情報を提供する。ＳＩＮＲ差が０又は正である場合、ＵＥ１２は、基地局１４の配備の通常のカバレッジ内にいて、反復は必要でない（すなわち、単一のＭ−ＰＤＣＣＨ送信）と想定することができる。さらに、テーブル１では、基地局１４が１回のページング機会に関連付けられるものとして送信するＭ−ＰＤＣＣＨの最大の反復回数が３２回であることが示されている。
【００５２】
【表１】
2018526850.tif 000003
【００５３】
ＵＥ１２は、ネットワークノードへＳＩＮＲを送信することもでき、ネットワークノードは、受信したＳＩＮＲに基づいて、ＬＵＴを用いて物理制御チャネルについての反復回数を決定することができる。ＬＵＴは、基地局サイトにおいてローカルに記憶されることができ、又はリモートに記憶されることができる。言い換えると、ＬＵＴをＵＥ１２においてローカルに記憶するよりもむしろ、ＬＵＴを何らかのネットワークノード（例えば、基地局１４又は他の何らかのネットワークノード）においてリモートに記憶してもよく、ＵＥ１２は、自身で識別したＳＩＮＲを利用して適切な反復回数を求めてネットワークノードへクエリを行ってもよく、リモートのネットワークノードが適切な反復回数をＬＵＴから取得してＵＥ１２へ返送する。
【００５４】
他の実施形態において、Ｍ−ＰＤＣＣＨについての反復回数は、ＳＩＮＲ推定値を反復回数へマッピングする等式又は数式から判定される。基地局１４は、測定されたＳＩＮＲに基づいて又はＵＥ１２からレポートされたＳＩＮＲに基づいて、反復回数を判定することができる。いくつかの実施形態において、反復回数は、（測定され、レポートされ、記憶されるなどした）ＳＩＮＲを用いてＵＥ１２により計算されることができ、Ｍ−ＰＤＣＣＨについてのその反復回数が基地局１４へレポートされることができる。
【００５５】
ＵＥ１２は所要の反復回数を過少に推定すると望ましい品質で（例えば、望ましいブロックエラー確率で）Ｍ−ＰＤＣＣＨを復号することが不能となりかねないことから、ＳＩＮＲから反復回数へのマッピングが相応に適正であることが重要である。ＵＥ１２は、所要の反復回数を過大に推定した場合にはエネルギー（バッテリー）を浪費し得る。
【００５６】
図３は、本開示の実施形態に係る（例えば、上の段落において説明した実施形態の少なくともいくつかに係る）ＵＥ１２及び基地局１４の動作を示している。オプション的なステップは破線で示されている。図示したように、ＵＥ１２は、基地局１４からＵＥ１２へのダウンリンクについてのＳＩＮＲを識別する（ステップ１００）。ＵＥ１２は、ＳＩＮＲを測定することにより、又は、例えば直近のＳＩＮＲレポートから取得するなど、ＳＩＮＲを取得することにより、ＳＩＮＲを識別してよい。ＵＥ１２は、基地局１４によりＵＥへＭ−ＰＤＣＣＨを送信する際に使用される（予期される）反復回数を、識別したＳＩＮＲに基づいて識別する（ステップ１０２）。上述したように、ＵＥ１２は、ＳＩＮＲを利用して、ＵＥ１２においてローカルに又はネットワークノードにおいてリモートに記憶され得るＬＵＴから反復回数を取得してもよい。他の実施形態において、ＵＥ１２は、予め定義される等式を用いて、ＳＩＮＲの関数として反復回数を計算する。
【００５７】
基地局１４は、ＵＥ１２へのダウンリンクについてのＳＩＮＲを識別し得る（ステップ１０４）。基地局１４は、ＵＥ１２へのＭ−ＰＤＣＣＨの送信についての反復回数を識別する（ステップ１０６）。基地局１４は、ＳＩＮＲに基づいて、使用すべき反復回数を識別してもよい。他のいくつかの実施形態において、基地局１４は、ＵＥ１２の最後の既知のカバレッジ拡張レベルに関する情報を他のネットワークノード（例えば、ＭＭＥ）から取得してもよく、それがＵＥ１２についての最後の既知の所要の反復回数を含み得る。そして、基地局１４は、ＵＥ１２についてのその最後の既知の所要の反復回数を、少なくとも当初、ＵＥ１２へＭ−ＰＤＣＣＨを送信するための、使用すべき反復回数として識別し得る。
【００５８】
基地局１４は、反復を用いてＵＥへＭ−ＰＤＣＣＨを送信する（ステップ１０８）。いくつかの実施形態において、ＵＥ１２へＭ−ＰＤＣＣＨを送信する際に基地局１４により使用される反復回数は、上述したように、基地局１４によりＳＩＮＲに基づいて識別され又は他のネットワークノードから取得される情報から識別される反復回数である。ＵＥ１２は、ステップ１０２においてＵＥ１２により識別される反復回数に基づいて、Ｍ−ＰＤＣＣＨ送信の復号を試行する（ステップ１１０）。例えば、ステップ１０２においてＵＥ１２が反復回数をＮ回の反復として識別した場合、ＵＥ１２は、いくつかの実施形態において、Ｎ個のサブフレームを累積し、その累積の結果を用いてＭ−ＰＤＣＣＨ送信の復号を試行する。しかしながら、以下に議論するように、いくつかの他の実施形態では、ＵＥ１２は、Ｎ回よりも少ない反復及び／又はＮ回よりも多い反復を用いて、Ｍ−ＰＤＣＣＨ送信の復号をしてもよい（例えば、Ｍをある予め定義される数として、Ｎ＋Ｍ回まで）。ＵＥ１２は、Ｍ−ＰＤＣＣＨ送信を成功裏に復号することができる場合、Ｍ−ＰＤＣＣＨ送信内の情報を用いて、それぞれのＰＤＳＣＨ送信（例えば、ＲＲＣページングメッセージ）を復号する（ステップ１１２）。
【００５９】
図４は、本開示のいくつかの実施形態に係るＵＥ１２の動作を示すフローチャートである。図示したように、ＵＥ１２は、基地局１４からＵＥ１２へのダウンリンクチャネルについてのＳＩＮＲを識別する（ステップ２００）。識別されたＳＩＮＲに基づいて、ＵＥ１２は、Ｍ−ＰＤＣＣＨについて使用される（予期される）反復回数を識別する（ステップ２０２）。次いで、ＵＥ１２は、識別した反復回数に基づいてサブフレームを累積し、その累積の結果に基づいてＭ−ＰＤＣＣＨの復号を試行する（ステップ２０４）。
【００６０】
図５は、本開示のいくつかの実施形態に係る基地局１４の動作を示すフローチャートである。図示したように、基地局１４は、基地局１４からＵＥ１２へのダウンリンクチャネルについてのＳＩＮＲを識別する（ステップ３００）。識別されたＳＩＮＲに基づいて、基地局１４は、Ｍ−ＰＤＣＣＨについて使用される（予期される）反復回数を識別する（ステップ３０２）。次いで、基地局１４は、識別した反復回数に従ってサブフレームを送信する（ステップ３０４）。言い換えると、基地局１４は、識別した回数の反復を用いて、ＵＥ１２へＭ−ＰＤＣＣＨを送信する。
【００６１】
留意すべきこととして、ＵＥ１２がＭ−ＰＤＣＣＨを復号する前に累積するサブフレームの数は、基地局１４がＭ−ＰＤＣＣＨを送信する際に行う反復の実際の回数と同一であっても同一でなくてもよい。
【００６２】
よって、Ｍ−ＰＤＣＣＨ検出のロバスト性及び柔軟性を提供するために、１回のＭ−ＰＤＣＣＨ機会においてＵＥ１２により複数の仮説を使用することができ、その場合、ＵＥ１２は、（ａ）ＵＥ１２内のＳＩＮＲ検出、及び（ｂ）基地局１４により送信されるＭ−ＰＤＣＣＨの実際の反復回数、の双方の曖昧性を考慮に入れて、一連の仮説を試すことができる。例えば、ＵＥ１２がＭ−ＰＤＣＣＨのＮｐ回の反復回数でのｐ番目の試行後にＭ−ＰＤＣＣＨの受信に失敗した場合に、ＵＥ１２は、より多くのＭ−ＰＤＣＣＨの反復を累積し、Ｍ−ＰＤＣＣＨのＮｐ＋１回の反復でｐ＋１番目の試行を行うことができる。これは、基地局１４がＭ−ＰＤＣＣＨを送信したがＵＥ１２が劣悪なチャネル条件に起因してＮｐ回の反復では検出できず、但しＵＥ１２がＮｐ＋１回の反復で検出できるはずのケースをカバーする。ＵＥ１２は、そのページング機会について、Ｍ−ＰＤＣＣＨの検出を中止する前に、Ｍ−ＰＤＣＣＨのあり得る最大の反復回数まで累積を行ってよい。ＵＥ１２は、あり得る最大の反復回数の後にＭ−ＰＤＣＣＨを検出できない場合、基地局１４がそのページング機会についてページングメッセージを送信しなかったものと想定する。ページングの受信に関連付けられるＭ−ＰＤＣＣＨの受信をＵＥ１２が試行すべき仮説の最小の集合を定義することができる。
【００６３】
極端なケースでは、ＵＥ１２は、最大数の仮説を使用することができ、その場合、ＵＥ１２は、毎サブフレーム後にＭ−ＰＤＣＣＨの復号を試行する。この方法は、ＵＥ１２がＭ−ＰＤＣＣＨの復号成功とページングメッセージを搬送するＰＤＳＣＨの開始との間の時間中に電力を節約するために自身の受信機をオフに切り替えることを可能にする。代替的に、復号の試行回数とスイッチオフ時間の量との間で妥協するために、仮説の集合を削減することができる。例えば、ＵＥ１２は、基地局１２が使用し得るＭ−ＰＤＣＣＨの反復ファクタの知識を有する場合（例えば、｛１，２，４，８，１６｝）、｛１，２，４，８，１６｝回分の累積後にＭ−ＰＤＣＣＨの復号を試行することを選択してもよい。
【００６４】
図６は、本開示のいくつかの実施形態に従って反復回数についての仮説の集合について復号を行うＵＥ１２の動作を示すフローチャートである。あらためて言うと、オプション的なステップは破線で示されている。オプションとして、ＵＥ１２は、基地局１４からＵＥ１２へのダウンリンクについてのＳＩＮＲを識別し（ステップ４００）、上述したように、識別したＳＩＮＲに基づいてＭ−ＰＤＣＣＨについての（予期される）反復回数を識別する（ステップ４０２）。
【００６５】
この例において、仮説の集合は、Ｎ１を反復回数の第１の仮説、Ｎ２を反復回数の第２の仮説などとして、｛Ｎ１，Ｎ２，…，ＮＭ｝と表され、Ｎ１＜Ｎ２＜…＜ＮＭであって、Ｍは当該集合内の仮説の数である。いくつかの実施形態において、最後の仮説ＮＭがステップ４０２においてＳＩＮＲに基づいて識別される反復回数である。いくつかの他の実施形態において、最後の仮説ＮＭはＳＩＮＲに基づいて識別される反復回数よりも大きく、但し、例えばＭ−ＰＤＣＣＨを送信する際に基地局１４により使用され得る最大の反復回数よりも小さい。一例として、Ｍ−ＰＤＣＣＨを送信する際に基地局１４により使用され得る反復の集合が｛１，２，４，８，１６，３２，６４｝であり、ＳＩＮＲに基づいて識別される反復回数が８回である場合、仮説の集合は、例えば、｛１，２，４，８｝であってもよく、又は他の例として｛１，２，４，８，１６｝であってもよい。
【００６６】
仮説のインデックスｐは、まず１という値に設定される（ステップ４０４）。ＵＥ１２は、集合｛Ｎ１，Ｎ２，…，ＮＭ｝内の仮説Ｎｐについてサブフレームを累積し（ステップ４０６）、累積したサブフレームに基づいてＭ−ＰＤＣＣＨの復号を試行する（ステップ４０８）。ＵＥ１２は、復号が成功したかを判定し（ステップ４１０）、成功の場合には、サブフレームの累積を停止し、自身の受信機を非アクティブ化する（ステップ４１２）。一方、復号の試行が不成功であった場合、ＵＥ１２は、集合内の最後の仮説ＮＭへ到達済みであるかを判定する（ステップ４１４）。到達済みでない場合、ＵＥ１２は、仮説のインデックスｐをインクリメントし（ステップ４１６）、処理はステップ４０６へ戻る。２回目の繰り返しにおいて、サブフレームの累積が、Ｎ２回の反復がにわたるサブフレームが累積されるまで継続する。これは、既に累積済みのＮ１回の反復についてのサブフレームを含む。次いで、ＵＥ１２は、Ｎ２回の反復にわたって累積されたサブフレームに基づいて、Ｍ−ＰＤＣＣＨの復号を試行する。処理は、ＵＥ１２がＭ−ＰＤＣＣＨを成功裏に復号するまで、又はＵＥ１２が最後の仮説ＮＭへ到達するまで続けられる。
【００６７】
ＵＥ１２は、基地局１２により使用される実際の反復回数を知らないであろうことから、ＰＤＳＣＨの開始点は、Ｍ−ＰＤＣＣＨの復号において使用される反復回数に依存することはできない。その場合、開始点（即ち、Ｍ−ＰＤＣＣＨの反復の開始サブフレーム）及びＭ−ＰＤＣＣＨの最大の反復回数は、例えばＭ−ＰＤＣＣＨについて使用されることになる最大の反復回数など、ＵＥ１２にとって既知の値であるべきである。これらパラメータは、セル１６内でブロードキャストされるシステム情報においてシグナリングされるか、又は各カバレッジ拡張レベルについて仕様において予め定義されるかのいずれかであり得る。さらに、あり得る最大の反復回数を、次のパラメータのうちの１つ又は複数の関数として定義することができる：
・セル１６がサポートするカバレッジ拡張の最大レベル；
・セル１６がサポートするＭＴＣ  ＵＥのタイプ。例えば、（１）通常の複雑度のＵＥのみ、（２）通常の複雑度のＵＥ及び低複雑度ＵＥの双方；
・基地局アンテナポートの最大送信電力レベル；及び／又は
・セル１６内の適切な機能のためにＵＥ１２が有することのできる受信アンテナの最小数
Ｍ−ＰＤＣＣＨの最大の反復回数を定義する際に他のパラメータもまた考慮されてよい。
【００６８】
Ｍ−ＰＤＣＣＨの実際の反復回数は、ＵＥ１２が検出において使用する反復回数とは相違し得ることから、ＵＥ１２によるＰＤＳＣＨの累積は、検出において使用された最後のＭ−ＰＤＣＣＨの反復の直後に開始しなくてもよい。代わりに、ＵＥ１２によるＰＤＳＣＨの反復の累積は、既知のサブフレームにおいて開始する必要がある。例えば、Ｍ−ＰＤＣＣＨの反復がサブフレームｎにおいて終了し、当該サブフレームにおいて所与のページング機会についてＭ−ＰＤＣＣＨの最大の反復回数が想定される場合、ＰＤＳＣＨの累積はサブフレームｎ＋ｋにおいて開始する。典型的な例はｋ＝１であり、即ち、カバレッジ拡張の所与のレベルについて、Ｍ−ＰＤＣＣＨの最大の反復回数の後に即座にＰＤＳＣＨの累積が開始する。これが図７において一例と共に示されている。図７では、所与のページング機会のＭ−ＰＤＣＣＨについての開始サブフレームは、サブフレームｉである。Ｍ−ＰＤＣＣＨのあり得る最大の反復回数が想定される場合、Ｍ−ＰＤＣＣＨの反復はサブフレーム（ｉ＋ｊ１）において終了する。この例において、ＵＥ１２は、Ｍ−ＰＤＣＣＨの（ｊ０＋１）回の反復を累積した後にＭ−ＰＤＣＣＨを成功裏に検出することができ、Ｍ−ＰＤＣＣＨの累積をサブフレーム（ｉ＋ｊ０）において終了する。ＵＥ１２は、サブフレーム（ｉ＋ｊ０＋１）からサブフレーム（ｉ＋ｊ１）までダウンリンク信号の受信をスイッチオフすることができる。ＵＥ１２は、サブフレーム（ｉ＋ｊ１＋１）においてダウンリンク受信をスイッチオンし、ＰＤＳＣＨの受信が開始される。ＰＤＳＣＨについての反復レベルは、例えば物理リソースブロック（ＰＲＢ）グループ及びトランスポートブロックサイズ（ＴＢＳ）に加えて、Ｍ−ＰＤＣＣＨ上のダウンリンク制御情報（ＤＣＩ）においてシグナリングされる。
【００６９】
十分なページング性能を保証する目的で、無線アクセスネットワーク要件（例えば、３ＧＰＰにおけるＲＡＮ４要件）が開発される必要があり得る。例えば、いくつかの実施形態において、ＰＤＳＣＨに関連付けられるＭ−ＰＤＣＣＨの受信におけるＵＥ性能の最小限の要件を補償するために、ＳＩＮＲ推定の精度レベルが定義される。
【００７０】
ワイヤレス通信デバイス１２（例えば、ＵＥ１２）は、ハードウェア及び／又はソフトウェアのいかなる適切な組み合わせをも含む通信デバイスを表現し得るものの、それらワイヤレス通信デバイス１２は、具体的な実施形態では、図８及び図９でより詳細に示されている例示的なワイヤレス通信デバイス１２などのデバイスを表現してよい。同様に、例示された無線アクセスノード１４（例えば、基地局又はｅＮＢ１４）は、ハードウェア及び／又はソフトウェアのいかなる適切な組み合わせをも含むネットワークノードを表現し得るものの、それらノードは、具体的な実施形態では、図１０〜図１２でより詳細に示されている例示的な無線アクセスノード１４などのデバイスを表現してよい。
【００７１】
図８に示したように、例示的なワイヤレス通信デバイス１２（例えば、ＵＥ１２）は、プロセッサ２０（例えば、ＣＰＵ（Central  Processing  Unit(s)）、ＡＳＩＣ（Application  Specific  Integrated  Circuit(s)）、ＦＰＧＡ（Field  Programmable  Gate  Array(s)）、又はそれらの任意の組み合わせ）と、メモリ２２と、アンテナ３０へ連結される送信機２６及び受信機２８を含む送受信機２４とを含む。具体的な実施形態において、ＵＥ、ＭＴＣ若しくはＭ２Ｍデバイス、及び／又は任意の他のタイプのワイヤレス通信デバイスにより提供されるものとして上述した機能性のいくつか又は全ては、図８に示したメモリ２２などのコンピュータ読取可能な媒体上に記憶される命令をプロセッサ２０が実行することにより提供されてもよい。ワイヤレス通信デバイス１２の代替的な実施形態は、上述した機能性のうちの任意のもの及び／又は上述した解決策をサポートするために必要な任意の機能性を含む、デバイスの機能性の何らかの観点を提供することに責任を有し得る、図８に示したもの以外の追加的なコンポーネントを含んでもよい。
【００７２】
いくつかの実施形態において、少なくとも１つのプロセッサにより実行された場合に当該少なくとも１つのプロセッサに、ここで説明した実施形態のいずれかに係るワイヤレス通信デバイス１２の機能性を遂行させる命令、を含むコンピュータプログラムが提供される。いくつかの実施形態において、前述したコンピュータプログラムプロダクトを含む担体が提供される。担体は、電子信号、光信号、無線信号、又はコンピュータ読取可能な記憶媒体（例えば、メモリなどの非一時的なコンピュータ読取可能な媒体）、のうちの１つである。
【００７３】
図９は、本開示のいくつかの他の実施形態に係るワイヤレス通信デバイス１２の概略ブロック図である。ワイヤレス通信デバイス１２は、ソフトウェアで各々が実装される１つ以上のモジュール３２を含む。それらモジュール３２は、ここで説明したワイヤレス通信デバイス１２の機能性を提供する。この例において、ワイヤレス通信デバイス１２は、上述したように基地局１４からワイヤレス通信デバイス１２へのダウンリンクについてＳＩＮＲを識別する、ように動作するＳＩＮＲ識別モジュール３２−１と、上述したように識別されたＳＩＮＲに基づいてＭ−ＰＤＣＣＨについて（予期される）反復回数を識別する、ように動作する反復回数識別モジュール３２−２と、上述したように識別された反復回数に基づいてＭ−ＰＤＣＣＨの復号を試行する、ように動作する復号モジュール３２−３と、を含む。但し、ワイヤレス通信デバイス１２はここで説明したワイヤレス通信デバイス１２の機能性を提供し又は可能にする追加的な又は代替的なモジュール３２を含んでもよいことに留意されたい。
【００７４】
図１０に示したように、例示的な無線アクセスノード１４は、プロセッサ３４（例えば、ＣＰＵ、ＡＳＩＣ若しくはＦＰＧＡなど、又はそれらの任意の組み合わせ）と、メモリ３６と、ネットワークインタフェース３８とを含み、これらはこの例では制御システム４０へ組み込まれる。無線アクセスノード１４は、さらに、アンテナ４８へ連結される送信機４４及び受信機４６を含む送受信機を含む。いくつかの実施形態において、送受信機４２は、制御システム４０の外部にあって、例えば有線接続（例えば、光ケーブル）を介して制御システム４０へ接続される。一方、いくつかの他の実施形態において、送受信機４２及び潜在的にアンテナ４８は、制御システム４０と一緒に統合される。具体的な実施形態において、基地局、ノードＢ、ｅＮＢ及び／又は任意の他のタイプのネットワークノードにより提供されるものとして上述した機能性のいくつか又は全ては、図１０に示したメモリ３６などのコンピュータ読取可能な媒体上に記憶される命令をプロセッサ３４が実行することにより提供されてもよい。無線アクセスノード１４の代替的な実施形態は、上で識別した機能性のうちの任意のもの及び／又は上述した解決策をサポートするために必要な任意の機能性を含む、追加的な機能性を提供することに責任を有する追加的なコンポーネントを含んでもよい。
【００７５】
図１１は、本開示のいくつかの他の実施形態に係る無線アクセスノード１４の仮想化された実施形態を示す概略ブロック図である。この議論は、他のタイプのネットワークノードへ等しく適用可能である。さらに、他のタイプのネットワークノードが同様の仮想化されたアーキテクチャを有してもよい。
【００７６】
ここで使用されるところによれば、“仮想化された”無線アクセスノードは、無線アクセスノード１４の機能性の少なくとも一部が（例えば、ネットワーク内の物理的な処理ノード上で実行される仮想マシンを介して）仮想的なコンポーネントとして実装される、無線アクセスノード１４の一実装例である。図示したように、この例において、無線アクセスノード１４は、１つ以上のプロセッサ３４（例えば、ＣＰＵ、ＡＳＩＣ及び／又はＦＰＧＡなど）と、メモリ３６と、ネットワークインタフェース３８と、１つ以上の送受信機４２とを含み、送受信機４２は、上述したように、１つ以上のアンテナ４８へ連結される１つ以上の送信機４４及び１つ以上の受信機４６を各々含む。制御システム４０は、例えば光ケーブルなどを介して、送受信機４２へ接続される。制御システム４０は、ネットワークインタフェース３８を介して、ネットワーク５２へ連結され又はネットワーク５２の一部に含まれる１つ以上の処理ノード５０へ接続される。各処理ノード５０は、１つ以上のプロセッサ５４（例えば、ＣＰＵ、ＡＳＩＣ及び／又はＦＰＧＡなど）と、メモリ５６と、ネットワークインタフェース５８とを含む。
【００７７】
この例において、ここで説明した無線アクセスノード１４の機能６０は、１つ以上の処理ノード５０に実装され、又は、任意の所望のやり方で制御システム４０及び１つ以上の処理ノード５０にわたって分散される。いくつかの具体的な実施形態において、ここで説明した無線アクセスノード１４の機能６０のうちのいくつか又は全ては、処理ノード５０によりホスティングされる仮想環境内に実装される１つ以上の仮想マシンにより実行される仮想的なコンポーネントとして実装される。当業者により理解されるように、処理ノード５０と制御システム４０との間の追加的なシグナリング又は通信が、所望の機能６０のうちの少なくともいくつかを遂行するために使用される。とりわけ、いくつかの実施形態において、制御システム４０が包含されなくてもよく、そのケースでは、送受信機４２は、適切なネットワークインタフェースを介して、処理ノード５０と直接的に通信する。
【００７８】
いくつかの実施形態において、少なくとも１つのプロセッサにより実行された場合に、当該少なくとも１つのプロセッサに、ここで説明した実施形態のいずれかに従って仮想環境において無線アクセスノード１４又は無線アクセスノード１４の機能６０のうちの１つ以上を実装するノード（例えば、処理ノード５０）の機能性を遂行させる命令、を含むコンピュータプログラムが提供される。いくつかの実施形態では、前述したコンピュータプログラムプロダクトを含む担体が提供される。その担体は、電子信号、光信号、無線信号、又はコンピュータ読取可能な記憶媒体（例えば、メモリなどの非一時的なコンピュータ読取可能な媒体）、のうちの１つである。
【００７９】
図１２は、本開示のいくつかの他の実施形態に係る無線アクセスノード１４の概略ブロック図である。無線アクセスノード１４は、各々ソフトウェアで実装される１つ以上のモジュール６２を含む。モジュール６２は、ここで説明した無線アクセスノード１４の機能性を提供する。この議論は、図１４の処理ノードへ等しく適用可能であり、その場合、モジュール６２は、処理ノード５０のうちの１つに実装されてもよく、又は、複数の処理ノード５０にわたって分散されてもよく及び／若しくは処理ノード５０と制御システム４０とにわたって分散されてもよい。
【００８０】
本開示を通じて以下の頭字語が使用されている。
・３ＧＰＰ        Third  Generation  Partnership  Project
・５Ｇ            Fifth  Generation
・ＡＳＩＣ        Application  Specific  Integrated  Circuit
・ＡＷＧＮ        Additive  White  Gaussian  Noise
・ＣＰＵ          Central  Processing  Unit
・ＤＣＩ          Downlink  Control  Information
・ＤＦＴ          Discrete  Fourier  Transform
・ｅＮＢ          Enhanced  or  Evolved  Node  B
・Ｅ−ＰＤＣＣＨ  Enhanced  Physical  Downlink  Control  Channel
・ＦＰＧＡ        Field  Programmable  Gate  Array
・ＨＡＲＱ        Hybrid  Automatic  Repeat  Request
・ＩｏＴ          Internet  of  Things
・ＬＴＥ          Long  Term  Evolution
・ＬＵＴ          Look-Up  Table
・Ｍ２Ｍ          Machine-to-Machine
・ＭＢＭＳ        Multimedia  Broadcast/Multicast  Services
・ＭＨｚ          Megahertz
・ＭＭＥ          Mobility  Management  Entity
・ＭＴＣ          Machine  Type  Communication
・ＯＦＤＭ        Orthogonal  Frequency  Division  Multiplexing
・ＰＤＣＣＨ      Physical  Downlink  Control  Channel
・ＰＤＮ          Packet  Data  Network
・ＰＤＳＣＨ      Physical  Downlink  Shared  Channel
・Ｐ−ＧＷ        Packet  Data  Network  Gateway
・ＰＲＡＣＨ      Physical  Random  Access  Channel
・ＰＲＢ          Physical  Resource  Block
・ＰＵＳＣＨ      Physical  Uplink  Shared  Channel
・ＲＡＴ          Radio  Access  Technology
・Ｒｅｌ          Release
・ＲＲＣ          Radio  Resource  Control
・ＲＳＲＱ        Reference  Signal  Received  Quality
・ＳＣＥＦ        Service  Capability  Exposure  Function
・ＳＩＮＲ        Signal  to  Interference  plus  Noise  Ratio
・ＴＢＳ          Transport  Block  Size
・ＴＤＤ          Time  Division  Duplexing
・ＴＴＩ          Transmission  Time  Interval
・ＵＥ            User  Equipment
【００８１】
当業者は、本開示の実施形態に対する改善例及び修正例を認識するであろう。全てのそうした改善例及び修正例は、ここで開示した概念及び後に続く特許請求の範囲のスコープの範囲内と見なされる。
【図１】
2018526850.tif 000004
【図２】
2018526850.tif 000005
【図３】
2018526850.tif 000006
【図４】
2018526850.tif 000007
【図５】
2018526850.tif 000008
【図６】
2018526850.tif 000009
【図７】
2018526850.tif 000010
【図８】
2018526850.tif 000011
【図９】
2018526850.tif 000012
【図１０】
2018526850.tif 000013
【図１１】
2018526850.tif 000014
【図１２】
2018526850.tif 000015
【国際調査報告】
2018526850.tif 000016
2018526850.tif 000017
2018526850.tif 000018